(57)【要約】【課題】吊り戸を簡単に設置することができ、且つ吊り戸を安定的に支持することができる吊り戸の設置方法を提供すること。【解決手段】まず、第１工程において、第１既設柱１０１及び第２既設柱１０２の間からフェンス１０６等が除去される。第２工程では、新設柱１１，１２が第１既設柱１０１及び第２既設柱１０２のそれぞれに設置される。具体的には、支持部４０の先端側が各既設柱１０１，１０２の上端部１１１，１１２に連結されると共に、柱本体２０の他端２２が設置面１２０に当接される。第３工程では、各既設柱１０１，１０２に固定された各新設柱１１，１２の支持部４０に吊りレール９０が固定される。そして、第４工程において、吊りレール９０に吊り戸８０が吊り下げられる。【選択図】図３
2010196310.tif 000002
【特許請求の範囲】
【請求項１】
第１既設柱及び第２既設柱の間のフェンスを除去して吊り戸を設置するための吊り戸の設置方法であって、
前記フェンスを除去する第１工程と、
柱状の柱本体、及び前記柱本体の一端から当該柱本体と交差する方向へ延出された支持部を具備してなる新設柱を、前記支持部の先端側を前記各既設柱の上端部に連結させると共に前記柱本体の他端を設置面に当接させることによって、前記第１既設柱及び前記第２既設柱のそれぞれに設置する第２工程と、
前記第１既設柱及び前記第２既設柱に固定された前記各新設柱の支持部に吊りレールを固定する第３工程と、
前記吊りレールに吊り戸を吊り下げる第４工程とを含んでなる、吊り戸の設置方法。
【請求項２】
前記第１既設柱と前記第２既設柱との間には、前記第１既設柱と共に前記フェンスを支持する第３既設柱と、前記第２既設柱又は前記第３既設柱を軸として回動可能な開き戸とが設けられており、
前記第１工程は、前記フェンス、前記第３既設柱、及び前記開き戸を除去するものである、請求項１に記載の吊り戸の設置方法。
【請求項３】
前記第２既設柱に対して前記第１既設柱の反対側に第４既設柱が設けられており、
前記吊りレールの長さは、前記第１既設柱と前記第４既設柱との間隔以上に設定されており、
前記第２工程は、前記第１既設柱及び前記第２既設柱に加えて、前記第４既設柱に前記新設柱を設置するものであり、
前記第３工程は、前記第１既設柱、前記第２既設柱、及び前記第４既設柱に設置された前記各新設柱の支持部に前記吊りレールを固定するものである、請求項１又は２に記載の吊り戸の設置方法。
【請求項４】
前記支持部の先端は、前記各既設柱の上端部に対して嵌合可能に形成されている、請求項１から３のいずれかに記載の吊り戸の設置方法。
【請求項５】
前記第１既設柱及び前記第２既設柱は、前記設置面に対して垂直に立設されており、
前記柱本体は、当該柱本体の他端から前記支持部の基端までの長さが、前記新設柱が設置される既設柱の上端の前記設置面からの高さと等しく、
前記支持部は、前記柱本体の長手方向と直交する方向に延出されている、請求項１から４のいずれかに記載の吊り戸の設置方法。
【発明の詳細な説明】
【技術分野】
【０００１】
本発明は、既存のフェンスに吊り戸を設置するための吊り戸の設置方法に関する。
【背景技術】
【０００２】
変電所や配電所、送電所には、安全のためにフェンスが設けられている。フェンスは、通常、その支持柱がコンクリートで地中に埋設されているため、フェンスの改修作業は面倒なものであった。そこで、かかる問題を解決すべく、特許文献１に記載のフェンスの改修方法が考えられている。
【０００３】
特許文献１に記載のフェンスの改修方法では、まず、既設支柱を残して、既設支柱間に設けられているフェンス本体が除去される。次に、外周面にネジ孔が形成された筒状の新設支柱が既設支柱の外周を覆うように配置され、新設支柱が既設支柱にボルトで固定される。そして、この新設支柱に新設フェンス本体が固定される。この改修方法によれば、既設支柱を除去して改めて支柱を埋設する必要がないため、フェンスの改修作業を容易に行うことができる。また、老朽化した既設支柱が新設支柱に覆われるので、フェンスの美観を向上させることができる。
【先行技術文献】
【特許文献】
【０００４】
【特許文献１】特開平１１−２００６６７号公報
【発明の概要】
【発明が解決しようとする課題】
【０００５】
ところで、特許文献１に記載のフェンスの改修方法によれば、新設支柱が既設支柱を覆うように配置されるため、既設支柱及び新設支柱が一体となって１本の支柱を構成することとなる。この構成では、フェンスを改修する代わりに支柱間に戸を設置しようとした場合、支柱と支柱間に配置される戸とが同一平面上に配置されることになるので、開き戸であれば設置できるが、吊り戸を設置することは困難であった。
【０００６】
それ故に、本発明の目的は、既設フェンスに吊り戸を容易に設置することができる吊り戸の設置方法を提供することである。
【課題を解決するための手段】
【０００７】
上記課題を解決するために、本発明の一局面は、第１既設柱及び第２既設柱の間のフェンスを除去して吊り戸を設置するための吊り戸の設置方法である。第１工程では、フェンスを除去する。第２工程では、柱状の柱本体、及び柱本体の一端から柱本体と交差する方向へ延出された支持部を具備してなる新設柱を、支持部の先端側を各既設柱の上端部に連結させると共に柱本体の他端を設置面に当接させることによって、第１既設柱及び第２既設柱のそれぞれに設置する。第３工程では、第１既設柱及び第２既設柱に固定された各新設柱の支持部に吊りレールを固定する。第４工程では、吊りレールに吊り戸を吊り下げる。
【０００８】
上記構成によれば、支持部が第１既設柱及び第２既設柱によって形成される平面と交差するように連結されることで、吊りレールを介して支持部に支持される吊り戸が、上記平面から離れた位置に上記平面と平行に配置される。このため、既設フェンスに吊り戸を設置することが可能となる。また、吊り戸の設置に際して、第１既設柱及び第２既設柱を除去する必要がないので、吊り戸の設置は容易である。
【０００９】
他の局面では、第１既設柱と第２既設柱との間には、第１既設柱と共にフェンスを支持する第３既設柱と、第２既設柱又は第３既設柱を軸として回動可能な開き戸とが設けられている。この場合、第１工程では、フェンス、第３既設柱、及び開き戸を除去する。
【００１０】
開き戸の開口幅は、第２既設柱と第３既設柱との間隔とほぼ等しい。フェンス、第３既設柱、及び開き戸が除去されるので、戸の開口幅が第１既設柱と第２既設柱との間隔まで広げられる。また、第１既設柱と第２既設柱との間には、開き戸に代えて吊り戸が設置されるので、戸が開閉時に障害物に接触することが防止される。
【００１１】
他の局面では、第２既設柱に対して第１既設柱の反対側に第４既設柱が設けられており、吊りレールの長さは、第１既設柱と第４既設柱との間隔以上に設定されている。この場合、第２工程では、第１既設柱及び第２既設柱に加えて、第４既設柱に新設柱を設置する。第３工程では、第１既設柱、第２既設柱、及び第４既設柱に設置された各新設柱の支持部に吊りレールを固定する。
【００１２】
他の局面では、支持部の先端は、各既設柱の上端部に対して嵌合可能に形成されている。
【００１３】
上記構成により、既設柱の上端部と新設柱の支持部との連結が、例えば溶接で行われる場合に比べて容易となる。
【００１４】
他の局面では、第１既設柱及び第２既設柱は、設置面に対して垂直に立設されている。柱本体は、柱本体の他端から支持部の基端までの長さが、新設柱が設置される既設柱の上端の設置面からの高さと等しい。支持部は、柱本体の長手方向と直交する方向に延出されている。
【００１５】
上記構成により、吊り戸がより安定的に支持される。
【発明の効果】
【００１６】
本発明によれば、吊りレールを介して支持部に支持される吊り戸が第１既設柱及び第２既設柱によって形成される平面から離れた位置にこの平面と平行に配置されるので、既設フェンスに吊り戸を設置することができる。また、第１既設柱及び第２既設柱を除去する必要がないので、吊り戸の設置は容易である。
【図面の簡単な説明】
【００１７】
【図１】既設フェンス１００を示す図
【図２】吊り戸８０が設置された既設フェンス１００を示す図
【図３】吊り戸８０が設置された既設フェンス１００を示す図
【図４】図２における矢印IVの方向から見た既設フェンス１００を示す図
【図５】新設柱１１を示す図
【図６】図５における矢印VIの方向から見た新設柱１１を示す図
【図７】柱本体２０の他端部２２の拡大図
【図８】支持部４０の拡大図
【図９】吊りレール９０の構成を示す図
【図１０】ランナー８１の構造を示す図
【図１１】吊り戸８０の構造を示す図
【図１２】第１工程後の既設フェンス１００を示す図
【図１３】第２工程後の既設フェンス１００を示す図
【図１４】上方から見た第２工程後の既設フェンス１００の模式図
【図１５】新設柱１１の連結部４２が第１既設柱１０１の上端部１１１に連結される様子を示す図
【図１６】第２工程後の柱本体２０及び第１既設柱１０１の構造を示す図
【図１７】吊りレール９０が設置された既設フェンス１００を示す図
【図１８】図１７に示す既設フェンス１００を上から見た図
【図１９】図１７における矢印XIXの方向から見た支持部４０周辺の拡大図
【図２０】吊りレール９０に吊り戸８０が吊り下げられた状態を示す図
【発明を実施するための形態】
【００１８】
以下、適宜図面を参照しつつ本発明の一実施形態について説明する。図１は、吊り戸８０が設置される前の既設フェンス１００の正面図である。図２は、吊り戸８０が設置された既設フェンス１００の正面図であり、吊り戸８０が閉じられた状態を示す。図３は、吊り戸８０が設置された既設フェンス１００の正面図であり、吊り戸８０が開かれた状態を示す。図４は、図２における矢印IVの方向から見た既設フェンス１００の側面図である。なお、図２以降では、説明の便宜上、フェンス１０７の一部が省略されている。
【００１９】
図１〜図４に示されるように、本実施形態に係る吊り戸８０の設置方法は、第１既設柱１０１、第２既設柱１０２、第４既設柱１０４、及びフェンス１０７を残したまま、フェンス１０６、第３既設柱１０３、及び開き戸１１０を除去して吊り戸８０を設置するための方法である。言い換えれば、本実施形態に係る吊り戸８０の設置方法は、開き戸１１０を吊り戸８０に変更するための方法である。なお、本実施形態では、第１既設柱１０１と第２既設柱１０２との間に開き戸１１０が設けられている場合について説明するが、本発明に係る吊り戸８０の設置方法は、開き戸１１０を有しない既設フェンス１００にも適用可能である。
【００２０】
まず、本実施形態に係る吊り戸８０の設置方法が適用される前の既設フェンス１００の構成について説明する。図１に示されるように、既設フェンス１００は、主として第１既設柱１０１、フェンス１０６、第３既設柱１０３、開き戸１１０、第２既設柱１０２、フェンス１０７、及び第４既設柱１０４によって構成されている。第１既設柱１０１、第３既設柱１０３、第２既設柱１０２、及び第４既設柱１０４は、一直線上に並んで配置されている。既設柱１０１〜１０４は、設置面１２０に対して垂直に立設されている。これらの既設柱１０１〜１０４は、本実施形態では、いずれも円筒形状の鋼管であり、同じ大きさのものである。既設柱１０１〜１０４は、設置面１２０からの上端の高さが互いに等しくなるよう、それぞれ下端部が埋設されている（図１参照）。
【００２１】
第１既設柱１０１及び第２既設柱１０２は、所定の間隔ｄ１（図１参照）を隔てて立設されている。第１既設柱１０１と第２既設柱１０２との間には、第３既設柱１０３が設けられている。第３既設柱１０３は、本実施形態では、第２既設柱１０２と所定の間隔ｄ２を隔てて立設されている。この第３既設柱１０３は、第１既設柱１０１と共にフェンス１０６を支持するものである。すなわち、フェンス１０６は、その両側が第１既設柱１０１及び第３既設柱１０３に連結されている。第３既設柱１０３と第２既設柱１０２との間には、開き戸１１０が設けられている。この開き戸１１０は、第２既設柱１０２に回動可能に設けられているが、第３既設柱１０３に回動可能に設けられていてもよい。
【００２２】
第２既設柱１０２に対して第１既設柱１０１の反対側には、第４既設柱１０４が設けられている。この第４既設柱１０４は、第２既設柱１０２と共にフェンス１０７を支持するものである。すなわち、フェンス１０７は、その両側が第２既設柱１０２及び第４既設柱１０４に連結されている。なお、フェンス１０６，１０７は、連結具、ボルト、及びナットを用いて既設柱１０１〜１０４に連結されているが、これらの部材は既知のものであるため、本実施形態ではその説明を省略する。
【００２３】
次に、本実施形態に係る吊り戸８０の設置方法で使用される各部材について説明する。本実施形態では、吊り戸８０を設置するために、３つの新設柱１１，１２，１４が使用される。以下、新設柱１１を例にその構造について説明する。
【００２４】
図５は、新設柱１１の一側面図である。図６は、図５における矢印VIの方向から見た新設柱１１の側面図である。
【００２５】
図５，６に示される新設柱１１は、第１既設柱１０１と共に吊りレール９０（図３及び図１９参照）を支持するものである。新設柱１１は、柱本体２０及び支持部４０を具備している。柱本体２０は、本実施形態では、長手方向（図５，６における上下方向）と直交する方向の断面形状が正方形である柱状の鋼管である（図１６（Ｃ）参照）。なお、柱本体２０の断面形状は特に限定されるものではなく、長方形や円形、三角形や楕円形などのその他の形状であってもよい。柱本体２０の長さは、既設柱（ここでは第１既設柱１０１）と並んで設置面１２０に設置された場合に、一端２１が第１既設柱１０１の上端と略同じ高さとなるように設定されている。言い換えれば、柱本体２０は、柱本体２０の他端２２から支持部４０の基端までの長さが、新設柱１１が設置される第１既設柱１０１の上端の設置面１２０からの高さと略等しく設定されている。
【００２６】
図７は、柱本体２０の他端部２２の拡大図であり、（Ａ）は図５と同じ方向から見た他端部２２を示し、（Ｂ）は、図５における矢印VIの方向から見た他端２２を示す。図７に示されるように、柱本体２０の他端２２には、支持プレート２４が設けられている。支持プレート２４は、設置面１２０に当接されるものである。支持プレート２４は、本実施形態では、平面視が長方形の鋼板であり、柱本体２２に溶接によって固定されている（図７及び図１６（Ｃ）参照）。この支持プレート２４には、厚み方向に貫通する４つの孔２５が形成されている。これらの孔２５は、後述するアンカーボルト２３（図１６参照）を挿通させるためのものである。支持プレート２４の上面（図７における上側の面）には、軸受け２６が設けられている。軸受け２６は、ローラ２８（図１６参照）を配置するための空間を隔てて、２つの板状部材が平行に配置されたものである。これらの板状部材には、ローラ２８の回転軸を挿通させるための孔が形成されている。
【００２７】
柱本体２０の他端２２の側面には、軸受け２７が設けられている。軸受け２７は、ローラ２９（図１６参照）を配置するための空間を隔てて、２つの板状部材が平行に配置されたものである。これらの板状部材は、柱本体２０の側面から軸受け２６の直上へ向けて突出するように設けられており、ローラ２９の回転軸を挿通させるための孔が形成されている。
【００２８】
柱本体２０の他端２２側の側面には、ストッパ３０が設けられている（図５及び図６参照）。ストッパ３０は、後述する吊り戸８０の移動を規制するためのものである。また、このストッパ３０は、新設柱１１の柱本体２０の他端２２側と、第１既設柱１０１とを連結するためのものであり、後述する支持部４０と平行に配置されている（図５参照）。ストッパ３０は、本実施形態では、その長手方向と直交する方向の断面がＬ字形状となるように形成されている（図６参照）。このストッパ３０の先端側には、ボルト１６（図１６参照）を挿通させるための孔３１が形成されている。
【００２９】
図８は、支持部４０の拡大図であり、（Ａ）は図５と同じ方向から見た支持部４０を示し、（Ｂ）は上方から見た支持部４０を示す。
【００３０】
柱本体２０の一端２１には、支持部４０が設けられている。この支持部４０は、後述する吊りレール９０（図９参照）を上から支持する支持部本体４１と、既設柱（ここでは第１既設柱１０１）の上端部１１１（図１５参照）に連結される連結部４２とを有している。支持部本体４１は、本実施形態では溶接により柱本体２０に固定されているが、柱本体２０と別部材で構成されていてもよい。支持部本体４１は、柱本体２０の一端２１側から柱本体２０の長手方向と直交する方向へ延出されている（図８（Ａ）参照）。
【００３１】
支持部本体４１の上側の中央部には、ポール４３が立設されている。このポール４３は、後述するフェンス９８（図３参照）を支持するものである。支持部本体４１の下側の中央部には、吊り具４４が設けられている。この吊り具４４は、吊りレール９０を係止するためのものである（図１９参照）。この吊り具４４は、本実施形態ではボルト４５及びナット４６の螺合によって支持部本体４１に固定されているが、例えば溶接によって支持部本体４１に固定されていてもよい。
【００３２】
支持部本体４１の先端（図８における右端）には、連結部４２が設けられている。連結部４２は、柱本体２０の長手方向（図８（Ａ）における上下方向）を軸方向とする円筒形状の鋼管である。この連結部４２は、その上面に底４７を有し、下側に向けて開口している。後述するが、連結部４２には、この開口部分から第１既設柱１０１の上端部１１１が挿入される（図１５及び図１９参照）。このため、連結部４２の柱本体２０の長手方向と直交する方向の断面内形は、第１既設柱１０１の断面外形に合わせて円形となっている。また、連結部４２の内径は、第１既設柱１０１の上端部１１１の外径よりも若干大きく設定されている。このように、連結部４２は、第１既設柱１０１の上端部１１１と嵌合可能に形成されている。また、連結部４２の深さは、第１既設柱１０１の上端部１１１が連結部４２内に挿入されて底４７に当接した状態で、連結部４２が上端部１１１から容易に外れない程度の深さに設定されている。
【００３３】
連結部４２の側壁には、雌ネジを有するネジ孔４８が形成されている（図８（Ｂ）参照）。ネジ孔４８は、連結部４２の側壁の周方向に等間隔に３つ形成されている。連結部４２に第１既設柱１０１の上端部１１１が挿入された状態で、ネジ孔４８にボルト４９（図１９参照）が螺合される。ボルト４９の先端によって第１既設柱１０１の上端部１１１の側面が押圧されることにより、第１既設柱１０１に連結部４２が固定される。すなわち、新設柱１１が第１既設柱１０１の上端に連結される。
【００３４】
後述するが、以上説明した新設柱１１は、第１既設柱１０１の上端部１１１に連結される。これと同様に、新設柱１２が第２既設柱１０２の上端部１１２に連結され、新設柱１４が第４既設柱１０４の上端部１１４に連結される（図１２及び図１３参照）。新設柱１２は、ストッパ３０を有していない点を除いて、新設柱１１と同様に構成されている。新設柱１４は、ストッパ３０及びポール４３を有していない点を除いて、新設柱１１と同様に構成されている。したがって、ここでは、新設柱１２，１４の詳細な説明を省略する。
【００３５】
図９は、吊りレール９０の外観構成を示す図である。図９に示される吊りレール９０は、上壁９１と、上壁９１の両側から直角に曲折された側壁９２と、側壁９２から吊りレール９０の内側へ直角に曲折された下壁９３と、下壁９３から上壁９１へ向けて直角に曲折された内壁９４とを有している。この吊りレール９０は、後述するランナー８１（図１０参照）を支持するためのものである。このため、吊りレール９０の各壁９１〜９４の寸法は、ランナー８１の大きさに応じて適宜設定される。
【００３６】
吊りレール９０は、新設柱１１，１２，１４のそれぞれの吊り具４４によって係止される。このため、吊りレール９０の長さは、第１既設柱１０１と第４既設柱１０４との間隔ｄ３（図１参照）以上に設定されている。
【００３７】
図１０は、ランナー８１の構造を示す図であり、（Ａ）はランナー８１の正面を示し、（Ｂ）はランナー８１の側面を示し、（Ｃ）はランナー８１の上面を示す。図１０に示されるランナー８１は、吊りレール９０に吊り戸８０を吊り下げるためのものである。本実施形態では、吊り戸８０を吊り下げるために３つのランナー８１が使用される。ランナー８１は、ランナー本体８２と、軸部８３と、ダブルローラ８４とを有している。ランナー本体８２には、２つのダブルローラ８４が回転自在に設けられている。軸部８３は、ランナー本体８２から延出された円柱形状の棒状部材であり、外周面に雄ネジが形成されている。
【００３８】
図１１は、吊り戸８０の構造を示す図であり、（Ａ）は吊り戸８０の正面を示し、（Ｂ）は吊り戸８０の上面を示す。図１１に示される吊り戸８０は、高さ方向よりも幅方向に長いフレーム８６の内側にフェンス８７が設けられたものである。フレーム８６を構成する上枠８８には、３つのプレート８９が設けられている。これらのプレート８９は、上枠８８の両端及び中央部に例えば溶接により固定されている。各プレート８９には、雌ネジを有するネジ孔が形成されている（図１１（Ｂ）参照）。また、上枠８８における各プレート８９のネジ孔と対応する位置には、ランナー８１の軸８３を挿通するための孔が形成されている。プレート８９にランナー８１の軸部８３を螺合させることにより、吊り戸８０にランナー８１が固定される（図２０参照）。
【００３９】
以下、本実施形態に係る吊り戸８０の設置方法について説明する。図１２は、第１工程後の既設フェンス１００の正面図である。
【００４０】
まず、第１工程では、図１及び図１２に示されるように、第１既設柱１０１と第２既設柱１０２との間から、開き戸１１０、フェンス１０６、及び第３既設柱１０３を除去する。具体的には、第２既設柱１０２から開き戸１１０を取り外した後、第１既設柱１０１及び第３既設柱１０３からフェンス１０６を取り外す。そして、残った第３既設柱１０３を、地中に設置された部分を残して切断する。これにより、図１２に示されるように、既設フェンス１００には、第１既設柱１０１、第２既設柱１０２、第４既設柱１０４、及びフェンス１０７が残される。
【００４１】
図１３は、第２工程後の既設フェンス１００を示す図である。図１４は、上方から見た第２工程後の既設フェンス１００の模式図である。図１５は、新設柱１１の連結部４２が第１既設柱１０１の上端部１１１に連結される様子を示す図である。図１６は、第２工程後の柱本体２０及び第１既設柱１０１の構造を示す図であり、（Ａ）は図４と同じ方向から見た柱本体２０及び第１既設柱１０１を示し、（Ｂ）は（Ａ）における矢印７１の方向から見た柱本体２０及び第１既設柱１０１を示し、（Ｃ）は矢印７２の方向から見た柱本体２０及び第１既設柱１０１を示す。なお、図１４では、フェンス１０７が模式的に示されており、図１６（Ｃ）では、新設柱１１の一端２１側が省略されている。
【００４２】
第２工程では、第１既設柱１０１に対して新設柱１１を設置し、第２既設柱１０２に対して新設柱１２を設置し、第４既設柱１０４に対して新設柱１４を設置する。以下、第１既設柱１０１に新設柱１１を設置する作業について具体的に説明する。まず、設置面１２０において、新設柱１１の支持プレート２４の孔２５が配置される位置に、アンカーボルト２３を打ち込む。支持プレート２４には４つの孔２５が設けられているので、設置面１２０に対して４本のアンカーボルト２３が打ち込まれる。
【００４３】
次に、連結部４２が第１既設柱１０１の上端部１１１の直上に位置するように新設柱１１を配置し（図１５参照）、新設柱１１をそのまま下方へ移動させる。これにより、第１既設柱１０１の上端部１１１が連結部４２の内部に挿入される。なお、上述のように、柱本体２０の長さは、設置面１２０から第１既設柱１０１の上端までの距離と略等しく設定されている。このため、連結部４２内に第１既設柱１０１の上端部１１１が挿入された状態では、新設柱１１の支持プレート２４が設置面１２０に当接する。その際、支持プレート２４の各孔２５にアンカーボルト２３を挿通させる。これにより、新設柱１１は、鉛直方向上向き以外の方向への移動が規制される。そして、第１既設柱１０１におけるストッパ３０の孔３１と対応する位置にボルト挿通孔を形成し、ボルト１６及びナット１７を螺合させる（図１６（Ｂ）参照）。これにより、ストッパ３０が第１既設柱１０１に固定される。このように、第１既設柱１０１に新設柱１１が設置されると、新設柱１１の支持部４０は、第１既設柱１０１及び第２既設柱１０２によって形成される平面７０と交差（本実施形態では直交）した状態となる（図１４参照）。
【００４４】
続いて、図１６に示されるように、新設柱１１の柱本体２０の軸受け２７にローラ２９を回転可能に取り付け、支持プレート２４の軸受け２６にローラ２８を回転可能に取り付ける。そして、ローラ２９及びローラ３２が、吊り戸８０が進入する空間を隔てて対向するように、回転可能なローラ３２を備える軸受け３３を第１既設柱１０１に固定する。なお、この軸受け３３は、第１既設柱１０１に貫通孔を形成し、ボルト及びナットを用いて第１既設柱１０１に固定されるが、例えば溶接などの他の方法で第１既設柱１０１に固定されてもよい。
【００４５】
ここまで、第１既設柱１０１に対して新設柱１１を設置する作業について説明したが、これと同じ要領で、第２既設柱１０２に対して新設柱１２を設置し、第４既設柱１０４に対して新設柱１４を設置する。
【００４６】
なお、新設柱１１，１２，１４を設置する順序は上述の順序に限定されるものではない。すなわち、例えば、第２既設柱１０２に対して新設柱１２を設置してから第１既設柱１０１に対して新設柱１１を設置し、その後、第４既設柱１０４に対して新設柱１４を設置するようにしてもよい。
【００４７】
図１７は、第３工程後の既設フェンス１００の正面図である。図１８は、図１７に示す既設フェンス１００を上から見た図である。図１９は、図１７における矢印XIXの方向から見た支持部４０周辺の拡大図である。
【００４８】
第３工程では、図１３、図１７〜図１９に示されるように、新設柱１１、新設柱１２、及び新設柱１４に吊りレール９０を固定する。具体的には、吊りレール９０を、新設柱１４の吊り具４４に係止させてから新設柱１２の吊り具４４に係止させ、さらに新設柱１１の吊り具４４に係止させる。これにより、吊りレール９０が新設柱１１，１２，１４と既設柱１０１，１０２，１０４との両方によって安定的に支持される。なお、吊りレール９０は、平面７０から離れた位置に、平面７０と平行に配置される（図１８参照）。
【００４９】
図２０は、吊りレール９０に吊り戸８０が吊り下げられた状態を示す図である。
【００５０】
第４工程では、図２０に示されるように、吊り戸８０を吊りレール９０に吊り下げる。具体的には、吊り戸８０の上枠８８に固定された３つのランナー８１のダブルローラ８４を吊りレール９０の下壁９３に引っ掛ける。これにより、吊りレール９０に対して吊り戸８０がスライド可能に支持される（図２及び図３参照）。
【００５１】
ところで、支持部４０は、その長手方向の略中央に吊り具４４が固定されている。この支持部４０は、第１既設柱１０１及び第２既設柱１０２によって形成される平面７０に対して直交するように配置される（図１４参照）。これにより、支持部４０の長手方向における連結部４２と吊り具４４との間隔に相当する距離だけ、吊り具４４が平面７０から離隔した位置に配置されることとなる（図４参照）。その結果、吊り戸８０が平面７０と平行に配置される。
【００５２】
第５工程では、３つの嵩上げ用フェンスを設置する。具体的には、第１既設柱１０１及び第２既設柱１０２のポール４３に嵩上げ用のフェンス９８を固定する（図２参照）。また、図には示されていないが、フェンス１０７の上にも嵩上げ用のフェンスを設置する。具体的には、新設柱１２及び新設柱１４の連結部４２の上にポール４３と同様のポールを設置する。そして、これら２つのポールに嵩上げ用のフェンスを固定する。なお、このフェンスは、２つのポールの間に設置された状態で、その上端部がフェンス９８の上端部とほぼ同じ高さとなるものである。ところで、図には示されていないが、第１既設柱１０１に対して第２既設柱１０２とは反対側の位置に、第４既設柱１０４及びフェンス１０７と同様の既設柱及びフェンスが設けられている。この既設柱と第１既設柱１０１との間にも、フェンス１０７上に設置されるものと同様のフェンスが同じ要領で設置される。このように３つの嵩上げ用フェンスが設置されることで、侵入者がフェンスを越えることがより効果的に防止されることとなる。
【００５３】
最後に、全てのボルト及びナットの締め付け作業を行う。まず、新設柱１１の連結部４２のネジ孔４８にボルト４９を螺合させて、支持部４０を第１既設柱１０１の先端部１１１に固定する。そして、新設柱１１の支持プレート２４の各孔２５から支持プレート２４の上側に突出しているアンカーボルト２３にナット３５を螺合させる。これにより、新設柱１１の支持部４０が第１既設柱１０１の上端部１１１に固定されると共に、新設柱１１の柱本体２０の他端２２が設置面１２０に固定される。この一連の締め付け作業は、新設柱１２，１４に対しても同様に行われる。なお、この第５工程での作業は、上述の第２工程で行ってもよいが、全ての部材をバランスよく組み付けるためには、第４工程の後に行うのがよい。
【００５４】
以上説明したように、本実施形態に係る吊り戸の設置方法によれば、支持部４０が第１既設柱１０１及び第２既設柱１０２によって形成される平面７０と直交するように各既設柱１０１，１０２，１０４に連結されるので、吊り戸８０がこの平面７０と平行に配置される。すなわち、吊り戸８０が第１既設柱１０１及び第２既設柱１０２と同一平面上に位置しないように配置される。このため、既設フェンス１００に吊り戸８０を設置することができる。また、吊り戸８０の設置に際して第１既設柱１０１及び第２既設柱１０２を除去する必要がないので、吊り戸８０の設置は容易である。
【００５５】
また、開き戸１１０に代えて吊り戸８０が設置されることで、戸の開口幅が第３既設柱１０３と第２既設柱１０２との間隔ｄ２から、第１既設柱１０１と第２既設柱１０２との間隔ｄ１まで広げられる（図１及び図２参照）。仮に、間隔ｄ１が車両の幅よりも広ければ、吊り戸８０を全開にすることで車両の通行が可能となる。また、開き戸１１０に代えて吊り戸８０が設置されるので、戸が開閉時に障害物に接触することはない。
【００５６】
なお、本実施形態では、第１既設柱１０１と第２既設柱１０２との間にフェンス１０６、第３既設柱１０３、及び開き戸１１０が設けられている場合について説明したが、第１既設柱１０１と第２既設柱１０２との間にフェンスのみが設けられていてもよい。この場合、本発明の第２工程では、このフェンスのみを除去すればよい。
【００５７】
また、本実施形態では、連結部４２が既設柱１０１，１０２，１０４の上端部１１１，１１２，１１４に嵌合されることによって支持部４０が既設柱１０１，１０２，１０４に連結される場合について説明したが、支持部４０と既設柱１０１，１０２，１０４の上端部１１１，１１２，１１４との連結は、例えばボルト及びナットの螺合、溶接などの他の方法によるものであってもよい。
【００５８】
また、第２既設柱１０２、第３既設柱１０３、フェンス１０６，１０７、及び開き戸１１０を除去して、第１既設柱１０１と第４既設柱１０４との間に吊り戸を設置するようにしてもよい。この場合、本発明における第２既設柱が第４既設柱１０４に相当する。
【産業上の利用可能性】
【００５９】
本発明の吊り戸の設置方法は、フェンスを除去して吊り戸を設置する場合等に適用可能である。
【符号の説明】
【００６０】
１１，１２，１４  新設柱
２０  柱本体
２１  一端
２２  他端
４０  支持部
４２  連結部
８０  吊り戸
９０  吊りレール
１０１  第１既設柱
１０２  第２既設柱
１０３  第３既設柱
１０４  第４既設柱
１０６  フェンス
１１０  開き戸
１２０  設置面
【図１】
2010196310.tif 000003
【図２】
2010196310.tif 000004
【図３】
2010196310.tif 000005
【図４】
2010196310.tif 000006
【図５】
2010196310.tif 000007
【図６】
2010196310.tif 000008
【図７】
2010196310.tif 000009
【図８】
2010196310.tif 000010
【図９】
2010196310.tif 000011
【図１０】
2010196310.tif 000012
【図１１】
2010196310.tif 000013
【図１２】
2010196310.tif 000014
【図１３】
2010196310.tif 000015
【図１４】
2010196310.tif 000016
【図１５】
2010196310.tif 000017
【図１６】
2010196310.tif 000018
【図１７】
2010196310.tif 000019
【図１８】
2010196310.tif 000020
【図１９】
2010196310.tif 000021
【図２０】
2010196310.tif 000022
【手続補正書】
【提出日】平成21年6月3日(2009.6.3)
【手続補正１】
【補正対象書類名】明細書
【補正対象項目名】００１７
【補正方法】変更
【補正の内容】
【００１７】
【図１】既設フェンス１００を示す図
【図２】吊り戸８０が設置された既設フェンス１００を示す図
【図３】吊り戸８０が設置された既設フェンス１００を示す図
【図４】図２における矢印IVの方向から見た既設フェンス１００を示す図
【図５】新設柱１１を示す図
【図６】図５における矢印VIの方向から見た新設柱１１を示す図
【図７】柱本体２０の他端２２の拡大図
【図８】支持部４０の拡大図
【図９】吊りレール９０の構成を示す図
【図１０】ランナー８１の構造を示す図
【図１１】吊り戸８０の構造を示す図
【図１２】第１工程後の既設フェンス１００を示す図
【図１３】第２工程後の既設フェンス１００を示す図
【図１４】上方から見た第２工程後の既設フェンス１００の模式図
【図１５】新設柱１１の連結部４２が第１既設柱１０１の上端部１１１に連結される様子を示す図
【図１６】第２工程後の柱本体２０及び第１既設柱１０１の構造を示す図
【図１７】吊りレール９０が設置された既設フェンス１００を示す図
【図１８】図１７に示す既設フェンス１００を上から見た図
【図１９】図１７における矢印XIXの方向から見た支持部４０周辺の拡大図
【図２０】吊りレール９０に吊り戸８０が吊り下げられた状態を示す図
【手続補正２】
【補正対象書類名】明細書
【補正対象項目名】００２６
【補正方法】変更
【補正の内容】
【００２６】
図７は、柱本体２０の他端部２２の拡大図であり、（Ａ）は図５と同じ方向から見た他端２２を示し、（Ｂ）は、図５における矢印VIの方向から見た他端２２を示す。図７に示されるように、柱本体２０の他端２２には、支持プレート２４が設けられている。支持プレート２４は、設置面１２０に当接されるものである。支持プレート２４は、本実施形態では、平面視が長方形の鋼板であり、柱本体２０に溶接によって固定されている（図７及び図１６（Ｃ）参照）。この支持プレート２４には、厚み方向に貫通する４つの孔２５が形成されている。これらの孔２５は、後述するアンカーボルト２３（図１６参照）を挿通させるためのものである。支持プレート２４の上面（図７における上側の面）には、軸受け２６が設けられている。軸受け２６は、ローラ２８（図１６参照）を配置するための空間を隔てて、２つの板状部材が平行に配置されたものである。これらの板状部材には、ローラ２８の回転軸を挿通させるための孔が形成されている。
【手続補正３】
【補正対象書類名】明細書
【補正対象項目名】００４８
【補正方法】変更
【補正の内容】
【００４８】
第３工程では、図１３、図１７〜図１９に示されるように、新設柱１１、新設柱１２、及び新設柱１４に吊りレール９０を固定する。具体的には、吊りレール９０を、新設柱１４の吊り具４４に係止させてから新設柱１２の吊り具４４に係止させ、さらに新設柱１１の吊り具４４に係止させる。これにより、吊りレール９０が新設柱１１，１２，１４と既設柱１０１，１０２，１０４との両方によって安定的に支持される。なお、吊りレール９０は、平面７０から離れた位置に、平面７０と平行に配置される（図１４及び図１８参照）。
【手続補正４】
【補正対象書類名】図面
【補正対象項目名】図１６
【補正方法】変更
【補正の内容】
【図１６】
2010196310.tif 000023
【手続補正書】
【提出日】平成21年9月16日(2009.9.16)
【手続補正１】
【補正対象書類名】明細書
【補正対象項目名】０００７
【補正方法】変更
【補正の内容】
【０００７】
上記課題を解決するために、本発明の一局面は、第１既設柱及び第２既設柱の間のフェンスを除去して吊り戸を設置するための吊り戸の設置方法である。第１工程では、フェンスを除去する。第２工程では、柱状の柱本体、及び柱本体の一端から柱本体と交差する方向へ延出された支持部を具備してなる新設柱を、第１既設柱及び第２既設柱によって形成される平面と支持部が交差するように、支持部の先端側を各既設柱の上端部に連結させると共に柱本体の他端を設置面に当接させることによって、第１既設柱及び第２既設柱のそれぞれに設置する。第３工程では、第１既設柱及び第２既設柱に固定された各新設柱の支持部に吊りレールを固定する。第４工程では、吊りレールに吊り戸を吊り下げる。
【手続補正２】
【補正対象書類名】特許請求の範囲
【補正対象項目名】全文
【補正方法】変更
【補正の内容】
【特許請求の範囲】
【請求項１】
第１既設柱及び第２既設柱の間のフェンスを除去して吊り戸を設置するための吊り戸の設置方法であって、
前記フェンスを除去する第１工程と、
柱状の柱本体、及び前記柱本体の一端から当該柱本体と交差する方向へ延出された支持部を具備してなる新設柱を、前記第１既設柱及び前記第２既設柱によって形成される平面と前記支持部が交差するように、前記支持部の先端側を前記各既設柱の上端部に連結させると共に前記柱本体の他端を設置面に当接させることによって、前記第１既設柱及び前記第２既設柱のそれぞれに設置する第２工程と、
前記第１既設柱及び前記第２既設柱に固定された前記各新設柱の支持部に吊りレールを固定する第３工程と、
前記吊りレールに吊り戸を吊り下げる第４工程とを含んでなる、吊り戸の設置方法。
【請求項２】
前記第１既設柱と前記第２既設柱との間には、前記第１既設柱と共に前記フェンスを支持する第３既設柱と、前記第２既設柱又は前記第３既設柱を軸として回動可能な開き戸とが設けられており、
前記第１工程は、前記フェンス、前記第３既設柱、及び前記開き戸を除去するものである、請求項１に記載の吊り戸の設置方法。
【請求項３】
前記第２既設柱に対して前記第１既設柱の反対側に第４既設柱が設けられており、
前記吊りレールの長さは、前記第１既設柱と前記第４既設柱との間隔以上に設定されており、
前記第２工程は、前記第１既設柱及び前記第２既設柱に加えて、前記第４既設柱に前記新設柱を設置するものであり、
前記第３工程は、前記第１既設柱、前記第２既設柱、及び前記第４既設柱に設置された前記各新設柱の支持部に前記吊りレールを固定するものである、請求項１又は２に記載の吊り戸の設置方法。
【請求項４】
前記支持部の先端は、前記各既設柱の上端部に対して嵌合可能に形成されている、請求項１から３のいずれかに記載の吊り戸の設置方法。
【請求項５】
前記第１既設柱及び前記第２既設柱は、前記設置面に対して垂直に立設されており、
前記柱本体は、当該柱本体の他端から前記支持部の基端までの長さが、前記新設柱が設置される既設柱の上端の前記設置面からの高さと等しく、
前記支持部は、前記柱本体の長手方向と直交する方向に延出されている、請求項１から４のいずれかに記載の吊り戸の設置方法。